(57)【要約】【課題】  Trans  Flashメモリカードの使用に制限を受けることなく、より柔軟性を持たせた標準ＳＤメモリカード変換装置の構造を提供する。【解決手段】  上蓋１と下蓋２、接続体を有する。上蓋１と下蓋２に空間を設けて、絶縁の包み体３、複数の接続端子４と固定検出棒を収容する。さらに、Trans  Flashメモリカードを插入するためのスペースＡを設ける。下蓋２の後部に１列の複数開口と角欠けを設け、各開口部は各接続端子４の広い面に対応する。接続端子４の狭い側は内側に絞り、かつ、やや湾曲形状に仕上げる接続端子の中段は包み体に覆われて各端子を隔離させる。包み体３は二つの蓋の後半部の空間に固定する。二つの蓋は引っかけ溶着されている。上蓋１、下蓋２の先端面に主開口部を設け、上蓋１の後部は対照的に角欠けを設ける。【選択図】    図１
0003110835.tif 000002
【実用新案登録請求の範囲】
【請求項１】
上蓋、下蓋および接続体を有し、上蓋と下蓋とを重ねて接合した後の外観、形、規格とも標準ＳＤメモリカードと同一の形状に接合され、上蓋と下蓋との間に絶縁の包み体、及び複数の接続端子との固定を検出するための棒が収容される空間を有し、上蓋と下蓋との先端に主開口部が設けられ、その空間の先端にTrans  Flashメモリカードを主開口部に挿入するための空間を設け、下蓋後部の内部に１列に並べた複数の開口部と一つの角欠けが設けられ、各開口部はそれぞれに接続端子の広い面に対応し、接続端子の狭い側は内側に絞り及び減少し、かつ、やや湾曲形状に形成され、
接続端子の中段は包み体に覆われて各端子が隔離され、包み体は二つの蓋の後半部の空間に固定され、上蓋の後部は下蓋に対応する場所に角欠け部が設けられ、固定検出棒は接続端子の一番左の棒の前半部から先端に延ばして切り離して形成され、固定検出棒は接続板を有し、包み体が固定され、接続板の両側に上に折り曲げるガイド板シートが設けられ、一つのガイドシート先端に屈折部が設けられ、もう一つのガイドシート先端に引っかけ部が設けられることを特徴とする模擬標準ＳＤメモリカード変換装置の構造。
【請求項２】
下蓋の両側と先端とに複数個の引っかけ部を設け、上蓋の両側と先端に複数個の凹み部を設けて、それぞれの引っかけ部と対応する凹み部とが引っかけられることを特徴とする請求項１記載の模擬標準ＳＤメモリカード変換装置の構造。
【請求項３】
下蓋の先端と後部周面とも突き上げて、上蓋が嵌入されることを特徴とする請求項１記載の模擬標準ＳＤメモリカード変換装置の構造。
【請求項４】
下蓋の主開口部は内面に引っ込む形状であることを特徴とする請求項１記載の模擬標準ＳＤメモリカード変換装置の構造。
【請求項５】
各接続端子板の間に締めベルトとベルトをつないだ上、位置を固定するほか、包み体に複数の穴を設け、穴の位置固定によりつなぎ締めベルトとベルトを切り離しすることを特徴とする請求項１記載の模擬標準ＳＤメモリカード変換装置の構造。
【考案の詳細な説明】
【技術分野】
【０００１】
本考案は、標準ＳＤメモリカード変換装置の構造設計に関し、特に一種のTrans  Flashメモリカードを標準ＳＤメモリカードの型式、規格に一致させる変換装置構造の設計に関する。
【背景技術】
【０００２】
利用者は公知のTrans  Flashメモリカードに保管されたデータを取り出すとき、Trans  Flashメモリカードに対応する読み取りスロットを挿入する。
【考案の開示】
【考案が解決しようとする課題】
【０００３】
しかしながら、市販の各種電子装置（デスクトップコンピュータ、ノートブックパーソナルコンピュータ、パームトップコンピュータ、ＰＤＡ、デジタルカメラ、携帯電話、電子辞書、ＭＰ３プレイヤーなど）に、Trans  Flashメモリカード仕様に対応した読み取りスロットの設置が少ないため、Trans  Flashメモリカードの推進や応用分野の拡大に制限を受ける。
【０００４】
したがって本考案の目的は、Trans  Flashメモリカードの切り替え接続ポートに変換し、Trans  Flashメモリカードの使用に制限を受けることなく、より柔軟性を持たせた標準ＳＤメモリカード変換装置の構造を提供することにある。
【課題を解決するための手段】
【０００５】
上述の目的を達成するために本考案の請求項に記載の標準ＳＤメモリカード変換装置の構造は、上蓋と下蓋、接続体を有する。上蓋と下蓋と重ねて接合した後の外観、形、規格とも標準ＳＤメモリカードと同じで接合した後、上蓋と下蓋の間に絶縁の包み体、複数の接続端子と固定を検出するための棒を収容する空間を有する。上蓋と下蓋の先端に主開口部を設け、その空間の先端にTrans  Flashメモリカードを主開口部に挿入するための空間を設ける。下蓋後部の内部に１列に並べた複数の開口部と一つの角欠けを設け、各開口部はそれぞれに接続端子の広い面に対応し、接続端子の狭い側は内側に絞り及び減少し、かつ、やや湾曲形状に仕上げられる。
【０００６】
接続端子の中段は包み体に覆われて各端子を隔離させ、さらに、包み体は二つの蓋の後半部の空間に固定される。上蓋の後部は、下蓋に対応する場所に角欠け部を設け、固定検出棒は接続端子の一番左の棒の前半部から先端に延ばして、切り離しにより仕上げる。固定検出棒は接続板を有し、包み体に固定し、接続板の両側に上に折り曲げるガイド板シートを設ける。そのうち、一つのガイドシート先端に屈折部を設け、もう一つのガイドシート先端に引っかけ部を設ける。
【０００７】
新型マイクロタイプTrans  Flashメモリカードの外観と読み取り/書き込み規格を標準ＳＤメモリカードと完全に同様にするほか、許容性を持たせる。Trans  Flashメモリカードを変換装置に插入すれば、標準ＳＤメモリカードの機能を模擬可能で、標準ＳＤメモリカードコネクタ又は各種のマルチコネクタに直接応用可能であるため、Trans  Flashメモリカードの応用範囲を向上させるほか、使用の制限を解消可能である。
【考案を実施するための最良の形態】
【０００８】
以下、本考案の実施例を図面に基づいて説明する。
本実施例では上蓋と下蓋、接続体を有する。上蓋と下蓋に空間を設けて、絶縁の包み体、複数の接続端子と固定検出棒を収容する。さらに、Trans  Flashメモリカードを插入するためのスペースを設ける。下蓋の後部に１列の複数開口と角欠けを設け、各開口部は各接続端子の広い面に対応する。接続端子の狭い側は内側に絞り、かつ、やや湾曲形状に仕上げる接続端子の中段は包み体に覆われて各端子を隔離させる。包み体は二つの蓋の後半部の空間に固定する。二つの蓋は引っかけ溶着されている。上蓋、下蓋の先端面に主開口部を設け、上蓋の後部は対照的に角欠けを設ける。
【０００９】
図１から図９に示すように、本実施例は一種の模擬標準ＳＤメモリカード変換装置の構造設計に関わるもので、上蓋２（図２）と下蓋１（図３）、蓋１、蓋２を重ねて接合した後の外観、形、規格と標準ＳＤメモリカードに同様である。ただし、その内部構造は若干異なる。
【００１０】
上蓋２、下蓋１との間に空間Ａを設け、包み体３と複数の接続端子４を収容し、端子セットと固定検出棒４０を構成する。さらに、挿入スペースＢをTrans  Flashメモリカード６插入のために設ける。
【００１１】
図４と図５に示すように、各接続端子４の間に連結締めベルト４８によって接続されている。広い面はベルト４９で接続する。連結締めベルト４８は、包み体を成型するときに固定して置き、各接続端子４を最も良い位置固定効果を得るためである。これに対して、包み体３に穴３８を設け、穴３８の位置固定により、連結締めベルト４８とベルト４９を切り離して置き、包み体３製作完了後、各連結締めベルト４８をパンチカットする。図５から図６に示すように、これは精確に接続するため、製造上の特別要求であり、本考案の特殊な設計でもある。プラスチック材料の衝撃による位置ずれを防ぎ、射出成型時の不良率を軽減可能である。
【００１２】
固定検出棒は接続端子一番左の棒の前半部から先端に延ばして、切り離しにより仕上げる。固定検出棒４０は接続板４１を有し、これを包み体３に固定する。接続板４１の両側に上に折り曲げるガイド板４２、ガイド板４３を設け、外部ガイドシート４２の先端に屈折部４４を設けて、内部ガイドシート４３の先端に引っかけ部を設ける。
【００１３】
下蓋１後部は１列に並べた複数開口部１１と一つの角欠け１２を設ける。角欠け１２の開口部１１はやや前方向に移動し、各開口部１１が接続端子４の一端（広い面）に対応している。
【００１４】
接続端子４の他端（狭い側）は、収縮してやや屈折状を形成する。接続端子は８本を設ける。図の右から太い側の第６本を空けておき、第４本と接続する。つまり、第４本と第６本の接続端子太い側の後部に、上部屈折部４７を取り付けて、それぞれに連結部４６によって接続する。
【００１５】
接続端子４の中段は包み体３に覆われて、各端子４を隔離させる。さらに、接続端子４は水平方向で内側に収縮して配列集中する。包み体３も収縮して、二つの蓋の間に設けた後半部の空間Aに固定する。
【００１６】
下蓋１の中段に凹み部１０を設け、下蓋１の両側と先端の両側に複数個の引っかけ部を設け、上蓋２の両側と先端の両側に複数個の凹み部を設ける。上蓋２、下蓋１の先端面に主開口部１５を設け、上蓋２の後部の角欠け１２はこれに合わせて角欠け２２を設けて、上蓋１先端の主開口部２５を内側に引っ込み形状を仕上げる。
【００１７】
下蓋１先端の周縁１４と後部の周縁１３の周面とも突き上げて、上蓋２を咬合させる。つまり、上蓋２の先端と後部とも下蓋１に包まれる。周縁１４は主開口部１５の両側に設けて、その内面に引っかけ部１４１を設けて、上蓋２の凹み部２４２と引っかけて接合する。
【００１８】
下蓋１と上蓋２の左側の同一場所に位置固定するための角欠け１６、角欠け２６を設け、右側の同一場所にスライドスロット１７、スライドスロット２７を設ける。さらに、下蓋１にスライド位置固定溝１７１を設け、スライド５の角端５１をスライド位置固定溝１７１に嵌入する。
【００１９】
下蓋１の左右両側に、２本の周縁１８１、周縁１８２、周縁１９１、周縁１９２を設けて、外周縁１８１、外周縁１９１は周縁に沿っている。内周縁１８２、内周縁１９２は後が広く前が狭い形（台状）で、内周縁１８２、内周縁１９２の内部は包み体３の収容空間を形成し、包み体３は内周縁１８２、内周縁１９２によって固定され、他の位置固定機構を使用することなく、位置固定機構は先端にずれない。さらに、下蓋の各周縁１８１、周縁１８２、周縁１９１、周縁１９２に複数個の引っかけ部１８４、引っかけ部１８５、引っかけ部１９４、引っかけ部１９５を設けて、上蓋に設けた２対の周縁１８１、周縁１８２、周縁１９１、周縁１９２に対応して設置された凹み部２８４、凹み部２８５、凹み部２９４、凹み部２９５は蓋１、蓋２と互いに引っかける。すなわち、蓋１、蓋２は包み体３に覆う。図の上蓋と下蓋は緊密に合わせた後に、超音波溶着工法により組み立てする。ただし、その他による引っかけや、粘着などの工法も、同様の組み立て効果を果たせる。
【００２０】
内側ガイドシート４３は内周縁１８２の内側に沿って進めさせ、引っかけ部は内周縁１８２の先端近くに設けた欠け口１８７を貫通する。上蓋２に欠け口２８７を設け、凹み部２８８を設けて、導片組４２、導片組４３を挿入する。すなわち、引っかけ部４５は欠け口１８７、欠け口２８７に挿入し、插入されたTrans  Flashメモリカード６に対応した欠け口６１（図８と図９）を引っかける。さらに、周縁１８１、周縁１８２の間に中間周縁１８３を設ける。中間周縁１８３に複数個の引っかけ部１８６を設ける。また、上蓋２にも合わせて凹み部２８６を設ける。上蓋２の表面に凹みのラベル貼り付け区域２８９（図７）を設ける。
【００２１】
以上に申し述べた本実施例による変換装置機構は、特別な位置固定設計によって、包み体と端子セットが精確な組み立てが可能である。下蓋内部に設けた包み体と端子セットの位置が容易に固定することによって、上蓋と下蓋との間が簡単に組み合わせることが可能であるため、組み立ての容易性を実現できる。Trans  Flashメモリカードを本考案のカード状の変換装置に挿入した後、接続端子上狭い側は弾力があるリードを通じて、信号を広い面の模擬標準ＳＤメモリカードの信号読み取り/書き込み適切場所に伝送して、ほとんどの電子裝置の接続に提供可能である。つまり、Trans  Flashメモリカードを標準ＳＤメモリカードに模擬可能であるほか、携帯性が便利の上、利用者も既設の電子設備を取り替える必要がない。よって、本考案は優れた変換使用性を提供できるため、公知のものとは全く異なるものである。
【００２２】
以上、本考案の理想な実施例の説明と図面は、本考案の範疇を制限すべきではない。本考案の範疇は以下の出願範囲に基づくものとし、特許範疇の精神及びこれに類似し改変された実施例及び類似した構造は、すべて本考案に含まれるべきである。
【図面の簡単な説明】
【００２３】
【図１】本考案の実施例による標準ＳＤメモリカード変換装置の構造を示す立体分解図である。
【図２】本考案実施例による標準ＳＤメモリカード変換装置の下蓋を示す立体図である。
【図３】本考案の実施例により上蓋を前に開いたときの立体図である。
【図４】本考案の実施例による端子にベルトを取り付けた立体図である。
【図５】本考案の実施例による端子セットを下蓋に含ませたときの立体概略図である。
【図６】本考案の実施例による端子セットと包み体を組み合わせた後の立体図である。
【図７】本考案の実施例による端子セットと包み体を下蓋に組み入れ、上蓋を被せていないときの立体図である。
【図８】本考案の実施例により組み合わせた後、Trans  Flashメモリカード未插入の立体実施状態図である。
【図９】本考案の実施例をTrans  Flashメモリカードに挿入した立体実施状態図である。
【符号の説明】
【００２４】
１  下蓋、２  上蓋、３  包み体、４  接続端子、５  スライド、６  Trans  Flashメモリカード、１０  凹み部、１１  開口、１２  角欠け、１３  周縁、１４  周縁、１５  主開口部、１６  位置固定角欠け、１７  スライドスロット、２２  角欠け、２５  主開口部、２６  位置固定角欠け、２７  スライドスロット、３８  穴、４０  固定検出棒、４１  接続板、４２  外ガイドシート、４３  内ガイドシート、４４  屈折部、４５  引っかけ部、４６  連結部、４７  上部屈折部、４８  連結締めベルト、４９  ベルト、５１  角端、６１  欠け口、１４１  引っかけ部、１７１  スライド位置固定溝、１８１  外周縁、１８２  内周縁、１８３  中間周縁、１８４  引っかけ部、１８５  引っかけ部、１８６  引っかけ部、１８７  欠け口、１９１  外周縁、１９２  内周縁、１９４  引っかけ部、１９５  引っかけ部、２４２  凹み部、２８４  凹み部、２８５  凹み部、２８６  凹み部、２８７  欠け口、２８８  凹み部、２８９  ラベル貼り付け区域、２９４  凹み部、２９５  凹み部、Ａ  空間、Ｂ  挿入スペース
【図１】
0003110835.tif 000003
【図２】
0003110835.tif 000004
【図３】
0003110835.tif 000005
【図４】
0003110835.tif 000006
【図５】
0003110835.tif 000007
【図６】
0003110835.tif 000008
【図７】
0003110835.tif 000009
【図８】
0003110835.tif 000010
【図９】
0003110835.tif 000011